(57)【要約】【課題】生体信号又は生体認識に基づく分類及び後続エスカレーション方法及び装置を提供する。【解決手段】電子装置による使用者の生体情報をモニタリングする方法は、使用者ウェアラブル装置の第１センサーを通じて使用者から第１モードで第１信号を獲得する段階と、使用者に追加情報を提供する第２モードに進入するか否かを決定するために第１信号を処理する段階と、を有する。【選択図】図５
2017170137.tif 000002
【特許請求の範囲】
【請求項１】
電子装置による使用者の生体情報をモニタリングする方法であって、
使用者ウェアラブル装置の第１センサーを通じて使用者から第１モードで第１信号を獲得する段階と、
前記使用者に追加情報を提供する第２モードに進入するか否かを決定するために前記第１信号を処理する段階と、を有することを特徴とする方法。
【請求項２】
前記第１モードで前記第１信号を周期的に獲得する段階をさらに含むことを特徴とする請求項１に記載の方法。
【請求項３】
前記第１モードで前記第１信号を連続的に獲得する段階をさらに含むことを特徴とする請求項１に記載の方法。
【請求項４】
前記第２モードに進入することが決定されると、前記第２モードで第２信号を獲得するために使用者に所定の指示を提供する段階をさらに含むことを特徴とする請求項１に記載の方法。
【請求項５】
前記第２信号を獲得するために使用者に測定装置を使用するように指示する段階をさらに含むことを特徴とする請求項４に記載の方法。
【請求項６】
使用者に前記使用者ウェアラブル装置を特定位置及び／又は方向で装着すること、並びに特定位置でポーズをとることの中の少なくとも１つを遂行するように指示する段階をさらに含むことを特徴とする請求項４に記載の方法。
【請求項７】
前記使用者ウェアラブル装置内の第２センサーを使用して前記第２モードで第２信号を獲得する段階をさらに含むことを特徴とする請求項１に記載の方法。
【請求項８】
前記第２センサーは、前記第１センサーに比較して前記第２信号を獲得するためにより高い敏感度、より大きい選択性、及びより大きい使用者適合性の中の少なくとも１つを有することを特徴とする請求項７に記載の方法。
【請求項９】
前記第２モードに進入することが決定されると、使用者に１つ以上の質問を提供して少なくとも１つの質問に対する使用者の回答に基づいて該使用者の認知状態を評価する段階をさらに含むことを特徴とする請求項１に記載の方法。
【請求項１０】
使用者から第１モードで第１信号を獲得する使用者ウェアラブル装置の第１センサーと、
前記第１信号を処理して前記使用者に追加情報を提供する第２モードに進入するか否かを決定する診断プロセッサと、を備えることを特徴とするシステム。
【請求項１１】
前記第１信号は、前記第１モードで周期的に獲得されることを特徴とする請求項１０に記載のシステム。
【請求項１２】
前記第１信号は、前記第１モードで連続的に獲得されることを特徴とする請求項１０に記載のシステム。
【請求項１３】
前記第２モードに進入することが決定されると、前記診断プロセッサは、前記使用者に所定の指示を提供して前記第２モードで第２信号を獲得することを特徴とする請求項１０に記載のシステム。
【請求項１４】
前記診断プロセッサは、前記第２信号を獲得するために使用者に測定装置を使用するように指示することを特徴とする請求項１３に記載のシステム。
【請求項１５】
前記診断プロセッサは、使用者に前記使用者ウェアラブル装置を特定位置及び／又は方向で装着すること、並びに特定位置でポーズを取ることの中の少なくとも１つを遂行するように指示することを特徴とする請求項１３に記載のシステム。
【請求項１６】
前記使用者ウェアラブル装置は、前記第１モードより前記第２モードでより多くの電力を消耗することを特徴とする請求項１０に記載のシステム。
【請求項１７】
前記第２モードで第２信号を獲得する前記使用者ウェアラブル装置内の第２センサーをさらに含むことを特徴とする請求項１０に記載のシステム。
【請求項１８】
前記第２センサーは、前記第１センサーに比較して前記第２信号を獲得するためにより高い敏感度、より大きい選択性、及びより大きい使用者適合性の中の少なくとも１つを有することを特徴とする請求項１７に記載のシステム。
【請求項１９】
前記診断プロセッサは、前記第２モードに進入することが決定されると、使用者に１つ以上の質問を提供して少なくとも１つの質問に対する使用者の回答に基づいて該使用者の認知状態を評価することを特徴とする請求項１０に記載のシステム。
【請求項２０】
使用者ウェアラブル装置の第１センサーによって使用者から第１モードで第１信号を獲得する段階と、
前記使用者に追加情報を提供する第２モードに進入するか否かを決定するために診断プロセッサによって前記第１信号を処理する段階と、を電子装置に実行させるためのプログラムを記録したコンピュータ読み取り可能な記録媒体。
【発明の詳細な説明】
【技術分野】
【０００１】
本発明は、使用者の身体からの信号を測定する方法に関し、より詳しくは生体信号（ｂｉｏｓｉｇｎａｌｓ）又は生体認識（ｂｉｏｍｅｔｒｉｃｓ）に基づく分類（ｔｒｉａｇｅ）及び後続エスカレーション（ｓｕｂｓｅｑｕｅｎｔ  ｅｓｃａｌａｔｉｏｎ）方法及びシステムに関する。
【背景技術】
【０００２】
生体信号を提供するウェアラブルセンサー装置（Ｗｅａｒａｂｌｅ  ｓｅｎｓｏｒ  ｄｅｖｉｃｅ）は、一般的に固有のトレード・オフ（ｔｒａｄｅ−ｏｆｆ）関係を有している。例えば、一般的に、より多くのバックグラウンドモニタリングを提供するウェアラブル装置は、使用者の介入がより少なくて済む。他の例として、一般的にあまり敏感でない信号品質を提供するウェアラブル装置は、より長いバッテリー寿命を有する。また、あまり敏感でない信号品質を提供するウェアラブル装置は、より良好な使用者の便宜及び適用性を有する。一般的に、より少ない情報コンテンツを提供することによって、ウェアラブル装置に対してより長いバッテリー寿命を提供する。したがって、ウェアラブルセンサー装置は、一般的に最大の使用者便宜及び適応性、長いバッテリー寿命、並びにあまり敏感でないセンサー信号を伴うバックグラウンドモニタリングを提供する。
【０００３】
一部のウェアラブルセンサーは、使用者の介入無しに使用者から情報を持続的に取得できるので、ヘルス（ｈｅａｌｔｈ）、フィットネス（ｆｉｔｎｅｓｓ）、ウェルネス（ｗｅｌｌｎｅｓｓ）、及び／又は疾病状態に対する傾向を提供するか、又は異常なコンディションに対する概ね持続的なモニタリングを非干渉的に提供する。このようなウェアラブルセンサー（例えば、光電式脈波（ｐｈｏｔｏｐｌｅｔｈｙｓｍｏｇｒａｍ：ＰＰＧ）、ガルバニック皮膚反応（ｇａｌｖａｎｉｃ  ｓｋｉｎ  ｒｅｓｐｏｎｓｅ：ＧＳＲ）センサー、生体インピーダンス（ｂｉｏｉｍｐｅｄｅｎｃｅ）センサー、皮膚温度センサー、、及びオキシメーター（ｏｘｉｍｅｔｅｒ））は、有用な情報を提供するが、一般的に敏感であるので、モーション又は可変的な皮膚接触によるノイズ汚染が発生する。このようなセンサーは、また臨床的に研究／許容されたものではないで、診断評価（ｄｉａｇｎｏｓｔｉｃ  ｅｖａｌｕａｔｉｏｎ）に対する関連性が低い。
【０００４】
他のセンサー及び／又は診断手順は、より臨床的に許容され、関連性があるが、使用者が使用するのに便利でない。したがって、このようなセンサーからのデータ（例えば、心電図（ｅｌｅｃｔｒｏｃａｒｄｉｏｇｒａｍ：ＥＣＧ）、インピーダンスカルジオグラフィー（ｉｍｐｅｄａｎｃｅ  ｃａｒｄｉｏｇｒａｐｈｙ：ＩＣＧ）、深部体温（ｃｏｒｅ  ｂｏｄｙ  ｔｅｍｐｅｒａｔｕｒｅ）、及び眼振テスト（ｎｙｓｔａｇｍｕｓ  ｔｅｓｔ））は、ほぼ連続的なモニタリングによって収集することができない。
【発明の概要】
【発明が解決しようとする課題】
【０００５】
本発明は、上記従来の問題点に鑑みてなされたものであって、本発明の目的は、生体信号又は生体認識に基づく分類及び後続エスカレーション方法及び装置を提供することにある。
【課題を解決するための手段】
【０００６】
上記目的を達成するためになされた本発明の一態様による方法は、電子装置による使用者の生体情報をモニタリングする方法であって、使用者ウェアラブル装置の第１センサーを通じて使用者から第１モードの第１信号を獲得する段階と、前記使用者に追加情報を提供する第２モードに進入するか否かを決定するために前記第１信号を処理する段階と、を有することを特徴とする。
【０００７】
上記目的を達成するためになされた本発明の一態様によるシステムは、使用者から第１モードで第１信号を獲得する使用者ウェアラブル装置の第１センサーと、前記第１信号を処理して前記使用者に追加情報を提供する第２モードに進入するか否かを決定する診断プロセッサと、を備えることを特徴とする。
【０００８】
上記目的を達成するためになされた本発明の一態様によるコンピュータ読み取り可能な記録媒体は、使用者ウェアラブル装置の第１センサーによって使用者から第１モードで第１信号を獲得する段階と、前記使用者に追加情報を提供する第２モードに進入するか否かを決定するために診断プロセッサによって前記第１信号を処理する段階と、を電子装置に実行させるためのプログラムを記録したことを特徴とする。
【発明の効果】
【０００９】
本発明によれば、良好な使用者便宜及び適用性と、長いバッテリー寿命とを有するウェアラブルセンサー装置を具現することができる。
【図面の簡単な説明】
【００１０】
【図１】本発明の一実施形態による電子装置を示す図である。
【図２】本発明の一実施形態による電子装置のブロック図である。
【図３】本発明の一実施形態による通信ネットワークの電子装置を示す図である。
【図４】モニタリングの第２モードで信号を獲得するための電子装置による使用者への通知例を示す図である。
【図５】第２モードに進入するか否かを決定するフローチャートである。
【発明を実施するための形態】
【００１１】
以下、本発明を実施するための形態の具体例を、図面を参照しながら詳細に説明する。
【００１２】
本発明の実施形態は、本明細書に記載されたものに限定されない。これらの実施形態は、一例として提供され、当業者に本発明の概念を完全かつ完璧に伝達するためのものである。
【００１３】
類似の参照符号は、明細書全体にわたって類似の構成要素を示す。本明細書に記載された説明又は技術用語を含むすべての用語は当業者には明らかな意味を有する。用語が、言語の進化、前例のケース、又は新しい技術の出現によって曖昧な意味を有する場合、本明細書で使用する用語の意味は先ず本発明における使用及び／又は定義によって明確にされる。より明確な説明が必要である場合、用語は当業者であれば、公開時に開示された内容の文脈で理解される。
【００１４】
部分が、構成要素を「含む」又は「有する」場合、特に説明しない限り、部分は、他の構成要素をさらに含む。本発明の実施形態の「ユニット」という用語は特定機能を遂行するソフトウェア構成要素又はハードウェア構成要素を意味する。ハードウェア構成要素は、例えばフィールドプログラマブルゲートアレイ（ｆｉｅｌｄ−ｐｒｏｇｒａｍｍａｂｌｅ  ｇａｔｅ  ａｒｒａｙ：ＦＰＧＡ）又は特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ：ＡＳＩＣ）を含む。
【００１５】
ソフトウェア構成要素は、実行コード及び／又はアドレス可能な格納媒体（ａｄｄｒｅｓｓａｂｌｅ  ｓｔｏｒａｇｅ  ｍｅｄｉｕｍ）の実行コード（ｅｘｅｃｕｔａｂｌｅ  ｃｏｄｅ）によって使用されるデータを参照する。したがって、ソフトウェア構成要素は、例えば、オブジェクト指向ソフトウェア構成要素（ｏｂｊｅｃｔ−ｏｒｉｅｎｔｅｄ  ｓｏｆｔｗａｒｅ  ｃｏｍｐｏｎｅｎｔ）、集合構成要素（ｃｌａｓｓ  ｃｏｍｐｏｎｅｎｔ）、タスク構成要素（ｔａｓｋ  ｃｏｍｐｏｎｅｎｔ）であるか、又はプロセッサ（ｐｒｏｃｅｓｓ）、関数（ｆｕｎｃｔｉｏｎ）、属性（ａｔｔｒｉｂｕｔｅ）、手順（ｐｒｏｃｅｄｕｒｅ）、サブルーチン（ｓｕｂｒｏｕｔｉｎｅ）、プログラムコードのセグメント（ｓｅｇｍｅｎｔ  ｏｆ  ｐｒｏｇｒａｍ  ｃｏｄｅ）、ドライバー（ｄｒｉｖｅｒ）、ファームウェア（ｆｉｒｍｗａｒｅ）、マイクロコード（ｍｉｃｒｏ  ｃｏｄｅ）、回路（ｃｉｒｃｕｉｔ）、データ（ｄａｔａ）、データベース（ｄａｔａｂａｓｅ）、データ構造（ｄａｔａ  ｓｔｒｕｃｔｕｒｅ）、テーブル（ｔａｂｌｅ）、アレイ（ａｒｒａｙ）、又は変数を含む。
【００１６】
ユニットで提供される機能は、追加的な構成要素とユニットとに分割される。図面に示されている実施形態を参照して詳細に説明する。これに関連して、本実施形態は他の形態を有し、ここに開示された説明に限定されない。以下の説明で、不必要な細部事項として実施形態を不明瞭にする公知の機能又は構成は詳細に説明しない。
【００１７】
図１は、本発明の一実施形態による電子装置を示す図である。図１を参照すると、使用者ウェアラブル装置１００を含む電子装置は、ディスプレイ１０２、プロセッサ（１１０、１１２）、センサーモジュール１２０、バッテリー１３０、バンド１４０、留め金１４２を含む。センサーモジュール１２０は、センサー（１２２、１２４）を含む。
【００１８】
使用者ウェアラブル装置１００は、手首に着用されるが、本明細書中に開示される多様な実施形態はこれに制限されない。使用者ウェアラブル装置１００は、例えば、腕（前腕、肘、または上腕の周囲）、脚、胸の周り、ヘッドバンドのような頭の周り、チョーカー（ｃｈｏｋｅｒ）のような喉の周り、及び耳のような体の他の部分に着用されるように設計される。使用者ウェアラブル装置１００は、例えば、スマートフォン又はラップトップコンピュータのような他の電子装置と通信する。これについては、図３でより詳細に説明する。
【００１９】
ディスプレイ１０２は、使用者及び／又は他者が見ることができるように使用者の身体からモニタリングされた生体情報を出力する。モニタリングされる信号は、生体信号又は生体認識データと称される。モニタリングされる信号は、例えば、脈拍数（ｐｕｌｓｅ  ｒａｔｅ）、脈形態（ｐｕｌｓｅ  ｍｏｒｐｈｏｌｏｇｙ）、及び／又は脈間隔（ｐｕｌｓｅ  ｓｐａｃｉｎｇ（拍動間隔（ｉｎｔｅｒ−ｂｅａｔ  ｉｎｔｅｒｖａｌｓ））である。ディスプレイ１０２は、状態及び診断結果のみならず、他の測定装置又は使用者ウェアラブル装置１００を使用中の使用者又は他の使用者に指示事項を出力する。
【００２０】
プロセッサ１１０は、モニタリングされた信号を処理して、より詳細なモニタリングが必要であるか否か、及び／又は他のタイプのモニタリングが必要であるか否かを決定する。センサーモジュール１２０は、例えば、使用者に使用者ウェアラブル装置１００が着用された場合に使用者の手首に触れるセンサー（１２２、１２４）を含む。プロセッサ１１２は、センサー（１２２、１２４）を制御し、センサー（１２２、１２４）によってモニタリングされた信号を処理する。例えば、プロセッサ１１２は、センサー（１２２、１２４）によってモニタリングされた信号のノイズをフィルタリングする。本明細書の多様な実施形態は、プロセッサ１１２の機能を遂行するプロセッサ１１０を有する。また、本明細書の多様な実施形態は、異なる数のセンサーを有する。
【００２１】
例えば、センサー１２２は、連続的又はほぼ連続的にパルス（脈拍）に関連する情報をモニタリングするために使用されるＰＰＧセンサーである。センサー１２４は、ＰＰＧセンサーのより敏感なタイプのセンサーである。センサー１２４は、プロセッサ１１０がより敏感なセンサーを利用して信号を追加的にモニタリングする必要があると判断した場合に使用される。このセンサーは、モニタリングされる特定の信号に、より関連性があるか、又は、特定の生体信号又は生体情報をモニタリングするために、例えば、医療専門家によってより多く使用される。即ち、より高い感度（ｓｅｎｓｉｔｉｖｉｔｙ）、選択性（ｓｐｅｃｉｆｉｃｉｔｙ）、及び／又は受容性（ａｃｃｅｐｔａｂｉｌｉｔｙ）を有するセンサーが使用される。センサー１２４は、例えば、ＥＣＧセンサーである。
【００２２】
バッテリー１３０は、使用者ウェアラブル装置１００にパワー（電力）を提供するように構成される。バッテリー１３０は、有線充電システム又は無線充電システムを使用して充電される。バンド１４０は、手首に巻き付けられ、使用者ウェアラブル装置１００は、留め金１４２を利用して手首に固定される。
【００２３】
使用者ウェアラブル装置１００は、連続的なモニタリング又は周期的なモニタリングを提供する。特定のタイプのモニタリングは、設計及び／又は実装に依存し、また使用者がモニタリングのタイプを選択できるオプションも含む。周期的なモニタリングは、モニタリング期間と非モニタリング期間とを交互に有する。周期的なモニタリングは、より長いバッテリー寿命を可能にする。
【００２４】
図２は、本発明の一実施形態による電子装置のブロック図である。図２を参照すると、ディスプレイ１０２、プロセッサ１１０、センサーモジュール１２０、及びバッテリー１３０が示されている。ディスプレイ１０２への出力は、プロセッサ１１０によって制御される。ディスプレイ１０２は、例えば、ボタン、ダイヤル、タッチ感知スクリーン、及びマイクのような入力装置（図示せず）を含む。
【００２５】
プロセッサ１１０は、中央処理装置（ＣＰＵ）２００、メモリ２１０、入／出力（ＩＯ）インターフェイス２２０、通信インターフェイス２３０、及びパワー管理ユニット（ｐｏｗｅｒ  ｍａｎａｇｅｍｅｎｔ  ｕｎｉｔ、以下、ＰＭＵ）２４０を含む。プロセッサ１１０は、これらの多様な装置を含むと説明したが、他の実施形態では異なる機能が別々にグループ化された他のアーキテクチャを利用できる。例えば、グループ化は、異なる集積回路チップで構成される。又は、グループ化は、入／出力インターフェイス２２０及び通信インターフェイス２３０のような異なる装置を組み合わせてもよい。
【００２６】
ＣＰＵ２００は、センサーモジュール１２０からモニタリングされた信号を受信するだけでなく、センサーモジュール１２０の動作を制御する。ＣＰＵ２００は、センサーモジュール１２０からモニタリングされた信号を処理し、ディスプレイ１０２に処理された情報を表示し、ディスプレイ１０２から入力を受信し、メモリ２１０内の命令を実行して入／出力インターフェイス２２０又は通信インターフェイス２３０を通じて多様な装置とインターフェイスする機能を含む使用者ウェアラブル装置１００を制御する。入／出力インターフェイス２２０は、ディスプレイ１０２とインターフェイスするためにＣＰＵ２００によって使用される。
【００２７】
プロセッサ１１２は、他の実施形態で他のアーキテクチャを使用して動作する。例えば、プロセッサ１１２は、実行する命令を格納するためにメモリ２１０を使用し、又は、プロセッサ１１２は、それらの命令のために自身のメモリ（図示せず）を有する。いくつかの実施形態では、分離されたプロセッサ（１１０、１１２）を有するが、これに制限されない。使用者ウェアラブル装置１００の機能を制御する１つのプロセッサ１１０を有するか、または使用者ウェアラブル装置１００のための多数のプロセッサを有する。
【００２８】
メモリ２１０は、不揮発性メモリ２１６及び揮発性メモリ２１８を含む。オペレーティングシステム及びアプリケーションは、不揮発性メモリ２１６に格納される。本明細書中の多様な実施形態は、設計及び／又は実装に依存する他のメモリアーキテクチャを使用する。
【００２９】
通信インターフェイス２３０は、例えば、ＵＳＢのような有線プロトコル、又はブルートゥース（登録商標）、近距離無線通信（Ｎｅａｒ  Ｆｉｅｌｄ  Ｃｏｍｍｕｎｉｃａｔｉｏｎ：ＮＦＣ）、及びＷｉＦｉ（登録商標）のような無線プロトコルを通じて使用者ウェアラブル装置１００を他の装置と通信できるようにする。ＰＭＵ２４０は、使用者ウェアラブル装置１００の他の部分にパワーを割り当てるのみならず、バッテリー１３０の充電及び外部ソースからのパワー受信を制御する。
【００３０】
図３は、本発明の一実施形態による通信ネットワークの電子装置を示す図である。図３を参照すると、使用者ウェアラブル装置１００及びスマートフォン３００が示されている。使用者ウェアラブル装置１００は、通信インターフェイス２３０を使用してスマートフォン３００と通信する。通信は、使用者ウェアラブル装置１００とスマートフォン３００との間の通信信号３０２を通じてなされる。通信信号３０２は、有線通信プロトコル又は無線通信プロトコルを通じて通信する。図示しないが、通信信号３０２は、使用者ウェアラブル装置１００とスマートフォン３００との間で１つ以上の通信ユニットを通じて送信される。例えば、使用者ウェアラブル装置１００及びスマートフォン３００は、同一のネットワーク又は異なるネットワークに属する。
【００３１】
使用者ウェアラブル装置１００のアプリケーション２１４の中の１つは、スマートフォン３００が通信信号３０２を通じて使用者ウェアラブル装置１００の少なくとも一部の動作を制御きるようにする。例えば、使用者ウェアラブル装置１００は、プロセッサ１１０によってプロセシングされた結果をディスプレイ１０２に出力し、及び／又は、その同じ結果をスマートフォン３００に伝送する。使用者は、使用者ウェアラブル装置１００又はスマートフォン３００でオプションを選択する。
【００３２】
例えば、オプションは、今まで使用されたセンサー１２２よりさらに敏感な使用者ウェアラブル装置１００のセンサー１２４を使用すること、使用者による入力を必要とする他のモニタリング装置を使用すること、又はセンサー１２２でモニタリングを繰り返すことである。
【００３３】
スマートフォン３００は、より大きい画面を有するので、使用者は、使用者ウェアラブル装置１００でオプションを選択するよりも、スマートフォン３００を通じてオプションを選択する方が容易である。しかし、使用者ウェアラブル装置１００の作動のためにスマートフォン３００は一般的に必要ではない。
【００３４】
図４は、モニタリングの第２モードで信号を獲得するための電子装置による使用者への通知例を示す図である。図４を参照すると、使用者の介入が要求されない場合、使用者の状態（ｓｔａｔｕｓ）はディスプレイ１０２に表示される。例えば、この状態は、使用者による介入を必要とせずに使用者ウェアラブル装置１００が使用者を連続的又はほぼ連続的にモニタリングする第１モードで異常が検出されないことを示す。例えば、この状態は、一部の実施形態で使用者のパルス（脈拍）を測定するセンサー１２２が、使用者の特性を有する一般的な人の正常範囲外のパルスを検出しないことである。特性は、例えば、性別、身長、及び体重を含む。これらの特性は、例えば、使用者ウェアラブル装置１００に直接入力されるか、またはスマートフォン３００を通じて入力される。
【００３５】
診断プロセッサと称されるプロセッサ１１０が、センサー１２２からモニタリングされた信号が追加的な測定を行う必要があることを示すと判断すると、使用者に対する指示（ｉｎｓｔｒｕｃｔｉｏｎ）がディスプレイ１０２上に表示される。この指示は、例えば、使用者が使用者ウェアラブル装置１００を手首により堅く固定されるように調整することを表示する。したがって、センサー１２２よりさらに敏感なセンサー１２４がより正確な読み取りを獲得する。又は、指示は、使用者が第２モードでモニタリングを継続する前に一定時間の休憩を取ることを表示する。又は、指示は、使用者が他のさらに特殊なモニタリング装置を使用する必要があることを示す。
【００３６】
本発明の多様な実施形態は、使用者に医療専門家に相談が必要であるとの指示を含む他のタイプのモニタリングのための他の指示を含む。したがって、使用者ウェアラブル装置１００は、使用者及び／又は医療専門家の必要に応じて他のレベルの指示及びモニタリングを有する。
【００３７】
一部の実施形態では、センサー１２２は、第１モードでバックグラウンド獲得信号をモニタリングし、第２モードの分類状態（ｔｒｉａｇｅ  ｓｔａｔｅ）に進入するか否かを決定する。分類状態に進入することは、使用者の関与（例えば、着用又は行動の変化）を要求し、センサー１２２のような第１センサー装置よりさらに多くの電力を消費するセンサー１２４のような第２センサー装置の使用を開始する。多くの電力は、改善された信号品質のために必要となり、信号獲得のタイプ及び／又は獲得された信号の処理を変更し、及び／又は使用者の生理学的モニタリング（ｐｈｙｓｉｏｌｏｇｉｃａｌ  ｍｏｎｉｔｏｒｉｎｇ）の高度な方法を遂行する。
【００３８】
図５は、第２モードに進入するか否かを決定するフローチャートである。図５を参照すると、段階５００〜段階５１２が示されている。段階５００で、使用者ウェアラブル装置１００は、第１モードに進入して、第１センサー（センサー１２２）を通じて使用者の生体信号又は生体認識情報の一部をモニタリングする。第１センサー（センサー１２２）は、センサー１２２と使用者との間の非理想的接触、及び、センサー１２２が、例えばセンサー１２４又は外部センサー（図示せず）よりも敏感でないことによって低い品質のセンサー信号を獲得する。
【００３９】
センサー１２２がＰＰＧセンサーである場合、獲得された生体信号は、使用者のパルス（脈拍）に関連する。使用者ウェアラブル装置１００は、獲得する間に使用者の入力無しにバックグラウンドで動作することによってオンされると獲得を開始する。幾つかタイプの生体信号獲得のために、使用者は獲得前に幾つかの情報を入力する必要がある。この情報は、例えば、生体信号を処理するのに関連する性別、身長、及び体重である。
【００４０】
段階５０２で、第１センサー（センサー１２２）は、生体信号を獲得する。段階５０４で、プロセッサ１１０及び／又はプロセッサ１１２は、獲得された生体信号に基づいて第２モードに進行するか否かを決定する。プロセッサ１１０及び／又はプロセッサ１１２は、センサー１２２から獲得された生体信号が、例えば、所定の臨界値に基づくか、又は獲得された生体信号が使用者から以前に獲得された生体信号と異なることに基づいて、正常でないと決定する。以前の生体信号は、以前のセッションで獲得されるか、または使用者ウェアラブル装置１００にダウンロードされてメモリ２１０に格納される。
【００４１】
プロセッサ１１０及び／又はプロセッサ１１２が、第２モードに進入しないことを決定した場合、センサー１２２は、段階５０２で使用者から生体信号を獲得することを続ける。プロセッサ１１０及び／又はプロセッサ１１２が、第２モードに進入することを決定した場合、使用者ウェアラブル装置１００は、段階５０６でディスプレイ１２０に指示を表示する。指示は、例えば、より敏感なセンサー１２４又は外部センサー（図示せず）を使用して生体信号をさらに獲得することである。又は、指示は追加のセンサー測定を必要としない幾つかのプロセスであってもよい。例えば、指示は、より詳細なテストのために医者を訪問する必要があるということであってもよい。
【００４２】
センサー１２４は、既存のセンサー及び／又はセンサー１２２よりもさらに敏感なセンサー信号及び／又はより関連性のある情報を提供するセンサーである。センサー１２４の使用は、より重要な診断及び／又は感知機能を提供する特定の手順を遂行するように使用者に要求する。例えば、使用者は、センサー１２４と使用者の皮膚とがより良好に接触するようにバンド１４０を締め付けるように指示される。又は、使用者は、身体部位からの信号品質を最大化するために、１つ以上の特定位置／方向で使用者の体にセンサーモジュール１２０又は外部センサーを保持するか、又は一定時間の間ポーズ若しくは保持するように指示される。
【００４３】
特定位置で使用者がポーズを取ることは、そのポーズを取らなければ、観察されない特定の測定可能な量の観測を可能にする。例えば、使用者は、水圧（ｈｙｄｒｏｓｔａｔｉｃ  ｐｒｅｓｓｕｒｅ）の変化が腕の血流にどのような影響を及ぼすかを確認するために腕を上げるように要請を受ける。使用者が腕を動かさなければ、このような情報は獲得できない。
【００４４】
他の実施形態で、センサー１２２は皮膚温度を獲得し、使用者ウェアラブル装置１００はその温度が使用者の所定の臨界温度より高いか否かを判断する。ディスプレイ１０２は、使用者が経口又は側頭温度計を使用して温度測定を遂行する指示を出力する。
【００４５】
その他の実施形態で、センサー１２２によって獲得された生体信号は、大きく増加した血中アルコール濃度の分光特性を示す。したがって、使用者ウェアラブル装置１００は、ディスプレイ１０２に水平視線眼振検査（ｈｏｒｉｚｏｎｔａｌ  ｇａｚｅ  ｎｙｓｔａｇｍｕｓ  ｔｅｓｔ）を遂行するための指示を提供し、使用者の飲酒状態及び車輌操作能力を決定する。
【００４６】
その他の実施形態で、センサー１２２は、手首に着用された装置からＧＳＲ信号を獲得し、使用者ウェアラブル装置１００は、ＧＳＲ信号が使用者に対する所定の臨界値を満足しない交感神経系活性化レベルを示すと判断する。これは使用者ウェアラブル装置１００が使用者に１つ以上の質問を提供し、変化した精神状態を認識するための試みを通じて運転者の認識状態を決定する。
【００４７】
段階５０８で、生体信号が、より敏感なセンサー（第２センサー）を使用して獲得される場合、使用者ウェアラブル装置１００は、センサー１２２よりさらに敏感な第２センサー（センサー１２４）を通じて生体信号を獲得する（段階５１０）。生体信号は、動作の次の段階又は診断を決定するために処理される。本発明の一実施形態において、生体信号が使用者ウェアラブル装置１００の第２センサーによって獲得されない場合、使用者ウェアラブル装置１００は、段階５００で第１モードに進入する。これは、例えば、段階５０６で、医者を訪問するか、または生体信号の追加モニタリングのために外部センサーを使用する指示が提供された場合に発生する。また、第２センサーを使用して追加モニタリングが必要ない場合、段階５００に戻って、第１モードに進入するが、本発明はこれに制限されない。例えば、使用者ウェアラブル装置１００は、段階５００で使用者が生体信号の獲得を開始する入力をする時まで、スタンバイ状態にある。特定動作は、設計及び／又は具現決定にしたがって実行される。
【００４８】
段階５１２で、センサー１２４によって獲得された信号処理の後、使用者に生体信号モニタリングの結果が提供される。使用者は、例えば、心臓リズムの例外／異常に対する診断を記録する心電図（ｅｌｅｃｔｒｏ−ｃａｒｄｉｏｇｒａｍ：ＥＣＧ）検査を遂行するように告げられる。センサー１２４がＥＣＧセンサーであっても、ある場合には外部装置によって遂行される他のＥＣＧ記録をするように指示する。外部装置によるモニタリングは、医院で行われるか、または使用者がＥＣＧ記録を生成する外部機械を有する場合、使用者によってなされる。
【００４９】
多様な実施形態を通じて、使用者の生体信号又は生体認識データの一部をモニタリングするように指示する使用者ウェアラブル装置１００について説明した。しかし、他の実施形態では本明細書に記載したものとは異なる生体信号をモニタリングする。
【００５０】
さらに、段階５０６で、一部の動作は、指示によって遂行されるが（例えば、皮膚温度、血中アルコール濃度、ＧＳＰ及び信号）、多様な実施形態では段階５０８及び段階５１０を通じてより正確な測定を続けて遂行する。
【００５１】
本明細書の多様な実施形態は、コンピュータプログラムとして書き込まれ、非一時的なコンピュータ読み取り可能な記録媒体を利用してプログラムを実行する汎用デジタルコンピュータによって具現される。
【００５２】
非一時的なコンピュータ読み取り可能な記録媒体は、例えば、磁気格納媒体（例えば、ＲＯＭ、フロッピーディスク（登録商標）、及びハードディスク）、及び光記録媒体（例えば、ＣＤ−ＲＯＭＳ又はＤＶＤ）を含む。
【００５３】
以上、図面を参照しながら本発明の多様な実施形態を説明したが、本明細書に記載された実施形態の多様な変化及び変形は、本発明の技術思想の範囲から逸脱しない範囲で、実施されることは当業者に明確である。したがって、上述した実施形態及びすべての側面は単なる実施形態であり、これに制限されるものではない。
【符号の説明】
【００５４】
１００    使用者ウェアラブル装置
１０２    ディスプレイ
１１０、１１２    プロセッサ
１２０    センサーモジュール
１２２、１２４    センサー
１３０    バッテリー
１４０    バンド
１４２    留め金
２００    中央処理装置（ＣＰＵ）
２１０    メモリ
２１２    オペレーティングシステム
２１４    アプリケーション
２１６    不揮発性メモリ
２１８    揮発性メモリ
２２０    入／出力インターフェイス
２３０    通信インターフェイス
２４０    ＰＭＵ（パワー管理ユニット）
３０２    通信信号
３００    スマートフォン
【図１】
2017170137.tif 000003
【図２】
2017170137.tif 000004
【図３】
2017170137.tif 000005
【図４】
2017170137.tif 000006
【図５】
2017170137.tif 000007